(57)【特許請求の範囲】
【請求項１】
動物に装着される連結具付首輪であって、
所定の厚みと所定の幅を有して延在するベルト本体と、
前記ベルト本体に固定された第１の矩形環と、
前記ベルト本体の一端に取り付けられた尾錠と、
前記第１の矩形環と前記尾錠との間に、前記第１の矩形環に隣接して、前記ベルト本体に回動自在に固定された環本体を含む連結具とを備える、連結具付首輪。
【請求項２】
前記環本体と前記尾錠との間に、前記ベルト本体に固定された第２の矩形環を更に備える、請求項１に記載の連結具付首輪。
【請求項３】
前記第２の矩形環は、前記環本体に隣接していることを特徴とする、請求項２に記載の連結具付首輪。
【請求項４】
前記尾錠は、前記ベルト本体の浮き上がり防止手段が設けられていることを特徴とする、請求項１乃至請求項３の何れか一項に記載の連結具付首輪。
【請求項５】
前記ベルト本体の裏面に部分的に接合されるベルト裏地を更に備え、
前記第１の矩形環と前記環本体は、前記互いに接合されたベルト本体とベルト裏地との間に設けられた第１の隙間に固定されたことを特徴とする、請求項１乃至請求項４の何れか一項に記載の連結具付首輪。
【請求項６】
前記ベルト本体の裏面に部分的に接合されるベルト裏地を更に備え、
前記第１の矩形環と前記環本体は、前記互いに接合されたベルト本体とベルト裏地との間に設けられた第１の隙間に固定され、
前記第２の矩形環は、前記互いに接合されたベルト本体とベルト裏地との間で、前記第１の隙間より前記尾錠に近い位置に設けられた第２の隙間に固定されたことを特徴とする、請求項２に記載の連結具付首輪。 
【発明の詳細な説明】
【技術分野】
【０００１】
本発明は、主として犬や猫などの動物の首に取り付けられて、引き紐や係留紐側との連結に用いられる動物用の連結具付首輪に関する。
【背景技術】
【０００２】
首輪に装着される連結具は、従来、一般にナス環と呼ばれる引き紐や係留紐側の連結具を着脱できるように連結するものである。連結具として、装着帯や装着衣に起伏できるように設けられた連結環（下記特許文献１参照）が知られている。また、連結具として、装着帯や装着衣に起伏できるように装着された環本体とこの環本体に起伏できるように連結された接続リングとからなり、環本体の接続リングとの連結穴を有した連結部を連結穴に直行する軸線まわりに回転自在とした連結環（下記特許文献２参照）も知られている。
【０００３】
特許文献１が開示する連結環は、直状部と円弧形状部とからなる一般にＤ環と呼ばれる部材である。Ｄ環の円弧形状部が起伏できるように、直状部は首輪などに挟み込まれる。Ｄ環は、形状が簡単なので、低コストである。しかし、Ｄ環にナス環を接続した場合、ナス環に繋がる引き紐や係留紐側と動物側とに与える自由度は低い。
【０００４】
特許文献２が開示する連結環は、２部材よりなりコスト高である。しかし、同連結環は、環本体の連結部が自身の連結穴に直行する軸線まわりに回転自在であるので、接続リングにナス環を接続した場合、ナス環に繋がる引き紐や係留紐側と動物側との間に与える自由度は高い。
【０００５】
これら引き紐や係留紐側と動物側との間に与える自由度は、引き連れや係留に対する動物の動作の動きやすさに影響し、自由度が高いことが望まれる。
【先行技術文献】
【特許文献】
【０００６】
【特許文献１】特開２００６−１４１２０５号公報
【特許文献２】特開２００６−９４８３６号公報
【発明の概要】
【発明が解決しようとする課題】
【０００７】
特許文献１、２が開示する連結環は、動物の引き連れや係留の双方に適用される。動物の係留は、動物を放置する時間が多くなりがちで、長時間留守をしていることも多々ある。このような放置状態で動物が恐怖な環境に遭遇するなどして驚き慌てて普段を上回る力で暴れたり、走り去ろうとすることが時としてある。このような場合、想定外の大きな力がナス環側から連結環側に及ぶ。
【０００８】
特許文献１が開示する連結環は継ぎ目が溶接接合されていて、想定外の大きな力によっても接合が外れたりしにくく、係留状態が不用意に解かれることはない。しかし、同連結環は、引き紐や係留紐側と動物側に与える自由度が低い。このため、図６に例示するように、首輪ｄに設けられた連結環ｇとナス環ｋとの間に、暴れ回る動物の動きによって図７に示すような拗れが生じる。そして、連結環ｇがナス環ｋの操作部ｃ１を押し動かして、係止ピンｃを後退させてフック部ａを開いてしまい、連結環ｇとナス環ｋとの連結が不用意に外れることがある。
【０００９】
特許文献２に記載の連結環は、環本体の連結部が環本体に対し回転自在である。これにより、引き紐や係留紐側と動物側との間に与える自由度が特許文献１に記載の連結環に比べ高い分だけ、双方間の拗れによる連結環とナス環との連結が不用意に外れにくい。しかし、環本体に対し連結部が回転自在に組み合わされる部分に十分な強度を持たせにくい。それゆえに、回転自在部に想定外の大きな力が働くと、回転自在部は捻りを吸収できない。この場合、連結環とナス環との間に拗れが生じてしまう。この拗れがナス環の不用意な離脱を招くことは上述の通りである。
【００１０】
本発明は、このような問題点に鑑み、強度が十分な環本体を有して引き紐や係留紐側と自由度高く連結され拗れにくい動物用の連結具付首輪を提供することを目的とする。
【課題を解決するための手段】
【００１１】
上記の目的を達成するために、本発明の動物用の連結具付首輪は、所定の厚みと所定の幅を有して延在するベルト本体と、前記ベルト本体に固定された第１の矩形環と、前記ベルト本体の一端に取り付けられた尾錠と、前記第１の矩形環と前記尾錠との間に、前記第１の矩形環に隣接して、前記ベルト本体に回動自在に固定された環本体を含む連結具とを備えることを特徴とする。 
【発明の効果】
【００１２】
本発明は、動物の係留や牽引の目的で、ナス環などの器具と連結される用途において、十分な連結強度、拗れ防止機能を発揮することができる。
【図面の簡単な説明】
【００１３】
【図１】本発明の実施の形態にかかる動物用の連結具付首輪の使用状態を示す図である。
【図２】本発明の実施例１にかかる動物用の連結具付首輪を示す図である。
【図３】本発明の実施例２にかかる動物用の連結具付首輪を示す図である。
【図４】図３の動物用の連結具付首輪の変形例を示す図である。
【図５】図２の連結具の変形例を示す図である。
【図６】従来の連結具による通常のナス環連結状態を示す要部の斜視図である。
【図７】同連結具によるナス環の連結外れの説明用斜視図である。
【発明を実施するための形態】
【００１４】
（実施の形態）
図１を参照して、本発明の実施の形態にかかる動物用の連結具付首輪ＤＣＣ（以降、「連結具付首輪ＤＣＣ」）について説明する。同図は、連結具付首輪ＤＣＣの使用状態を示している。連結具付首輪ＤＣＣは、犬などの動物に装着される首輪部ＤＣと、連結具ＣＣとを含む。連結具ＣＣは、Ｄ字状に成形されたＤ環と、円状態に成形された丸環とが複数の環からなる鎖Ｃで連結されている。Ｄ環Ｒｄはその直状部が軸Ａｘで回動自在に首輪部ＤＣに組み込まれ、丸環Ｒｒは引き紐（や係留紐）Ｒに装着されたナス環ＳＨに連結される。首輪部ＤＣは、ベルト本体Ｂｂと尾錠Ｂｕと、矩形状に成形されたサル環Ｒｓを含む。同図に示す例では、２つのサル環Ｒｓ１及びＲｓ２がＤ環Ｒｄの両側に組み込まれているが、サル環Ｒｓは１つであっても良い。これについては後ほど図２を参照して詳述する。連結具ＣＣ、サル環Ｒｓ、尾錠Ｂｕは通常、鉄などの金属で構成される。また、ベルト本体は革や布などで構成される。いずれにしても、所定の力に抗して、想定以上の変形を生じたり破損したりしないような材料が選ばれる。
【００１５】
連結具付首輪ＤＣＣの使用は以下の如く行われる。ベルト本体Ｂｂを動物の首に巻き付けながら、ベルト本体Ｂｂの端部ＢｂＥ（以降、「ベルト端部ＢｂＥ」）から尾錠Ｂｕ、サル環Ｒｓ２、Ｄ環Ｒｄ、およびサル環Ｒｓ１の順番に通して、ベルト本体Ｂｂに設けられた穴Ｈの一つに尾錠ＢｕのピンＰを挿入して、動物に装着される。ピンＰは尾錠Ｂｕのフレームの先端側に当接して、首輪部ＤＣの緩みを防止している。尾錠Ｂｕ、サル環Ｒｓ１、Ｄ環Ｒｄ、及びサル環Ｒｓ２によって、ベルト本体Ｂｂは二重に重ね合わされた状態で保持されている。 
【００１６】
また、尾錠Ｂｕのフレームで、ピンＰが当接する先端側に対向するベルト端部ＢｂＥ側の部分Ｂｕｓはサル環Ｒｓと共に、ベルト端部ＢｂＥの浮上がりを防止している。この意味において、尾錠Ｂｕの部分Ｂｕｓを、浮上防止部Ｂｕｓと呼ぶ。結果、Ｄ環Ｒｄをその頂上部を適度な圧力で締め付けることにより、Ｄ環Ｒｄは、ベルト本体Ｂｂに対して立った状態になる。この状態の連結具ＣＣの丸環Ｒｒに、ナス環ＳＨが連結される。
【００１７】
上述のように、連結具付首輪ＤＣＣにおいては、首輪部ＤＣのＤ環Ｒｄに鎖Ｃをつけ、その先に丸環Ｒｒを付けることにより、首輪部ＤＣよりナス環ＳＨを離間させている。このようにして、首輪部ＤＣ、連結具ＣＣ、およびナス環ＳＨ、及び引き紐Ｒの間で、遊び及び自由度を持たせている。結果、ナス環ＳＨが障害物に当たることを防止し、ナス環ＳＨが不用意に外れることを防止している。
【００１８】
また、連結具ＣＣ（Ｄ環Ｒｄ、鎖Ｃ、及び丸環Ｒｒ）とサル環Ｒｓを併用することにより、鎖Ｃの絡みを防止するとともに、鎖Ｃが首輪部ＤＣ（ベルト本体Ｂｂ）の縁に当たることを防止している。これにより、鎖Ｃの動きをスムーズにしている。なお、連結具付首輪ＤＣＣは、既製品の部材を用いて簡単な構造で構成できる。
【００１９】
（実施例１）
図２を参照して、本発明の実施の形態にかかる連結具付首輪の実施例１について説明する。図２（ａ）は、動物に装着される前の、直線状に伸ばされた連結具付首輪ＤＣＣ１を連結具ＣＣが取り付けられている表側から見た様子を示す。なお、連結具ＣＣは、ベルト本体Ｂｂの表面上にベルト端部ＢｂＥ側に向かって伸びた状態で載置されている。同図において、連結具付首輪ＤＣＣ１（ベルト本体Ｂｂ）が直線的に延在している方向を長さ方向Ｄｌとし、長さ方向Ｄｌと直交するベルト本体Ｂｂの幅Ｗｂ（以降、「ベルト幅Ｗｂ」）の方向を幅方向Ｄｗとする。なお、尾錠Ｂｕのフレームで、ピンＰが当接する部分に対向する部分Ｂｕｓはサル環Ｒｓと共に、ベルト端部ＢｂＥの浮上がりを防止している。
【００２０】
図２（ｂ）は、図２（ａ）において軸Ａｘに沿って、連結具付首輪ＤＣＣ１を見た連結具ＣＣを中心とする部分側面を示す。なお、同図においては、連結具ＣＣは、その中心軸Ａｃが軸Ａｘに対して垂直になるように、かつベルト本体Ｂｂの主面に概ね垂直な方向Ｄｖに平行に引っ張られている状態が示されている。同図に示すように、Ｄ環Ｒｄは、ベルト本体Ｂｂとベルト裏地ＢｂＢとの間の隙間Ｓに、サル環Ｒｓと共に差し込まれている。Ｄ環Ｒｄ及びサル環Ｒｓは、ベルト本体Ｂｂと、ベルト本体Ｂｂの上に重ね合わされたベルト端部ＢｂＥを内部空間に収容している。
【００２１】
同図において、ベルト本体Ｂｂの厚みをＴｂ（以降、「ベルト厚Ｔｂ」）とし、ベルト本体Ｂｂの上に、ベルト端部ＢｂＥを重ねた時の厚さを２Ｔｂ’（以降、「ベルト重合部厚２Ｔｂ’」）とすると、ベルト本体Ｂｂとベルト端部ＢｂＥとの間に隙間が生じるために、ベルト重合部厚２Ｔｂ’は、ベルト厚Ｔｂの２倍以上である。なお、サル環Ｒｓは、ベルト端部ＢｂＥをベルト本体Ｂｂから浮き上がらせないような形状及び大きさに形成されている。これについて、後ほど図２（ｄ）を参照して説明する。
【００２２】
図２（ｃ）は、図２（ｂ）の状態の連結具ＣＣを正面から見た状態を示している。同図において、Ｄ環Ｒｄは、直状部Ｄｓと円弧部Ｄａと接続部Ｄｐとによって、Ｄ字状形状に一体的に構成されている。直状部Ｄｓは軸Ａｘに沿って直線状に延在し、円弧部Ｄａは所定の曲率を有して円弧状に延在している。接続部Ｄｐは、直状部Ｄｓの両端部よりそれぞれ９０度以下の内角（本例では、９０度）を有して延在して、対向する円弧部Ｄａの両端部に一体的に接続している。
【００２３】
同図において、Ｄ環Ｒｄの外形に関して、直状部Ｄｓの長さをＷｄｏ（以降、「Ｄ環幅Ｗｄｏ」）とし、接続部Ｄｐの長さをＨｄｐｏ（以降、Ｄ環肩高Ｈｄｐｏ）として、円弧部Ｄａの円弧の頂点と直状部Ｄｓとの距離をＨｄｏ（以降、「Ｄ環高Ｈｄｏ」）とする。Ｄ環Ｒｄの内形に関して、直状部Ｄｓに対応する長さをＷｄi（以降、「Ｄ環内部幅Ｗｄｉ」）とし、接続部Ｄｐに対応する長さをＨｄｐｉ（以降、Ｄ環内部肩高Ｈｄｐｉ）として、円弧部Ｄａの円弧の頂点と直状部Ｄｓとに対応する距離をＨｄｉ（以降、「Ｄ環内部高Ｈｄｉ」）とする。
【００２４】
上述のように、重ねられたベルト本体Ｂｂとベルト端部ＢｂＥは、Ｄ環内部幅Ｗｄｉ×Ｄ環内部肩高Ｈｄｐｉで規定されるＤ環Ｒｄの内空間に収容される。つまり、好ましくは、Ｄ環内部幅Ｗｄｉはベルト幅Ｗｂより所定幅Ｗ１だけ大きく（Ｗｄｉ≧Ｗｂ＋Ｗ１）、及びＤ環内部肩高Ｈｄｐｉはベルト重合部厚２Ｔｂ’より所定高Ｈ１だけ大きい（Ｈｄｐｉ≧２Ｔｂ’＋Ｈ１）である。所定幅Ｗ１及び所定高Ｈ１は、ベルト本体Ｂｂ及びベルト端部ＢｂＥがＤ環Ｒｄにストレスなく挿入できると共に、Ｄ環Ｒｄの中でベルト端部ＢｂＥとベルト本体Ｂｂとが重なり合ったままでいるように適宜決定される。
【００２５】
図２（ｄ）は、図２（ｂ）の状態のサル環Ｒｓを見た状態を示している。サル環Ｒｓは、底部Ｓｂ、上部Ｓｔ、及び接続部Ｓｐによって、矩形形状に一体的に構成されている。接続部Ｓｐは、底部Ｓｂの両端部よりそれぞれ所定の内角（本例では、９０度）を有して延在して、対向する上部Ｓｔに一体的に接続している。同図において、サル環Ｒｓの外形に関して、底部Ｓｂの長さをＷｓｏ（以降、「サル環幅Ｗｓｏ」）とし、接続部Ｓｐの長さをＨｓｏ（以降、サル環高Ｈｓｏ）とする。サル環Ｒｓの内形に関して、上部Ｓｔ及び底部Ｓｂに対応する長さをＷｓｉ（以降、「サル環内部幅Ｗｓｉ」）とし、接続部Ｓｐに対応する長さをＨｓｉ（以降、サル環内部高Ｈｓｉ）とする。
【００２６】
上述のように、重ねられたベルト本体Ｂｂとベルト端部ＢｂＥは、ベルト端部ＢｂＥが浮き上がらないように、サル環内部幅Ｗｓｉ×サル環内部高Ｈｓｉで規定されるサル環Ｒｓの内空間に収容される。つまり、好ましくは、サル環内部幅Ｗｓｉはベルト幅Ｗｂより所定幅Ｗ２だけ大きく（Ｗｓｉ≧Ｗｂ＋Ｗ２）、及びサル環内部高Ｈｓｉはベルト重合部厚２Ｔｂ’より所定高Ｈ２だけ大きい（Ｈｓｉ≧２Ｔｂ’＋Ｈ２）である。なお、所定幅Ｗ２及所定高Ｈ２は、ベルト本体Ｂｂ及びベルト端部ＢｂＥがサル環Ｒｓにストレスなく挿入できると共に、サル環Ｒｓの中でベルト端部ＢｂＥとベルト本体Ｂｂとが重なり合ったままでいるように適宜決定される。
【００２７】
また、上述のように、連結具ＣＣ（Ｄ環Ｒｄ、鎖Ｃ、及び丸環Ｒｒ）とサル環Ｒｓを併用することにより、鎖Ｃの絡みを防止するとともに、鎖Ｃが首輪部ＤＣ（ベルト本体Ｂｂ）の縁に当たることを防止している。これにより、鎖Ｃの動きをスムーズにしている。これについて以下に詳述する。まず、Ｄ環Ｒｄが図２（ｂ）に示すような立った姿勢にある時を考える。この姿勢は、連結具付首輪ＤＣＣ１を装着している動物が、ナス環ＳＨ（サル環Ｒｓ）に対して、Ｄ環ＲｄをＤｖ方向に引いている状態である。次に、Ｄ環Ｒｄが長さ方向Ｄｌにベルト端部ＢｂＥに向かって引かれると、Ｄ環Ｒｄは図２（ｂ）に示す立った姿勢から、図２（ａ）に示すようにベルト端部ＢｂＥ側に倒れた姿勢に変化する。そして、つぎにＤ環Ｒｄが反対方向に引かれると、Ｄ環Ｒｄは丸環Ｒｒに引かれて尾錠Ｂｕ側に倒れた姿勢になろうとする。
【００２８】
以下に、連結具付首輪ＤＣＣ１に、サル環Ｒｓが設けられていない場合について考える。Ｄ環Ｒｄが倒れようとする際に、鎖Ｃのうちで、Ｄ環Ｒｄと連結されている部分が、円弧部Ｄａから接続部Ｄｐを経て、ベルト端部ＢｂＥ、ベルト本体Ｂｂ、及びベルト裏地ＢｂＢと接続部Ｄｐとの間に生じるギャップ（Ｗ１）の中に入り込む可能性がある。さらに、鎖Ｃは、重ね合わされたベルト端部ＢｂＥとベルト本体Ｂｂとの間、またはベルト本体Ｂｂとベルト裏地ＢｂＢとの間（隙間Ｓ）に入り込んでしまう可能性もある。これらの場合、入り込んだ鎖Ｃは、犬の動きによって連結具付首輪ＤＣＣ１に生じる力によって固定されてしまう。このような場合、連結具付首輪ＤＣＣによって折角確保した、Ｄ環Ｒｄとナス環ＳＨとの距離が減少したり、首輪部ＤＣ、連結具ＣＣ、およびナス環ＳＨ、及び引き紐Ｒの間で遊び及び自由度が失われたりする。結果として、ナス環ＳＨが障害物に当たることを防止し、ナス環ＳＨが不用意に外れることを防止するという、連結具付首輪ＤＣＣの本来の目的を実現できないことがある。
【００２９】
これに対して、図２（ｂ）に示すように、連結具付首輪ＤＣＣ１では、Ｄ環Ｒｄに隣接してサル環Ｒｓが、ベルト本体Ｂｂとベルト裏地ＢｂＢとの隙間Ｓに組み込まれている。よって、Ｄ環Ｒｄがベルト端部ＢｂＥ側に倒れようとすると、ベルト端部ＢｂＥ及びベルト本体Ｂｂを収容しているサル環Ｒｓは倒れずに上部Ｓｔで、Ｄ環Ｒｄの接続部Ｄｐを受け止める。Ｄ環Ｒｄがさらに倒れようしても、サル環Ｒｓは殆ど倒れることなく上部Ｓｔで接続部Ｄｐを受け止める。なお、この状態で、サル環Ｒｓに受け止められたＤ環Ｒｄは、円弧部Ｄａが上部Ｓｔより上位に有る。これによって、ナス環ＳＨとＤ環Ｒｄとの距離の減少が抑えられる。
【００３０】
また、連結具ＣＣを、ベルト端部ＢｂＥ、ベルト本体Ｂｂ、及びベルト裏地ＢｂＢの側部あるいはそれらの間に引き込もうとする力が生じても、連結具ＣＣはサル環Ｒｓの上部Ｓｔ及び接続部Ｓｐで受け止められる。これらの観点から、サル環幅ＷｓｏはＤ環幅Ｗｄｏ以上（Ｗｓｏ≧Ｗｄｏ）であることが好ましい。
【００３１】
（実施例２）
図３を参照して、本発明の実施の形態にかかる連結具付首輪の実施例２について説明する。図３（ａ）は、図２（ａ）と同様に、動物に装着される前の、直線状に伸ばされた連結具付首輪ＤＣＣ２を連結具ＣＣが取り付けられている表側から見た様子を示す。図３（ｂ）は、図２（ｂ）と同様に軸Ａｘに沿って見た、連結具付首輪ＤＣＣ２の側面（ただし部分ではなく全体）を示す。
【００３２】
連結具付首輪ＤＣＣ２においては、連結具付首輪ＤＣＣ１と違って、Ｄ環Ｒｄの前後に２つのサル環Ｒｓ１及びＲｓ２と共に、ベルト本体Ｂｂとベルト裏地ＢｂＢとの間に２つの隙間Ｓ１及びＳ２が設けられている。サル環Ｒｓ１は連結具付首輪ＤＣＣ１におけるサル環Ｒｓに相当し、Ｄ環Ｒｄと共に隙間Ｓ１に組み込まれている。サル環Ｒｓ２は、ベルト本体Ｂｂに対して垂直なＤｖ方向に立つように、尾錠Ｂｕと隙間Ｓ１との間に設けられた隙間Ｓ２に組み込まれている。隙間Ｓ２は、隙間Ｓ１より小さい。なお、サル環Ｒｓ１とＲｓ２は形状および材質は実質的に同じ部材であり、その寸法及び形状に関しては、図２（ｄ）に示したサル環Ｒｓと同様である。
【００３３】
サル環Ｒｓ１の機能については、上述の実施例１の連結具付首輪ＤＣＣ１のサル環Ｒｓと同じであるので説明を省略して、サル環Ｒｓ２の機能について説明する。サル環Ｒｓ２はＤ環Ｒｄと尾錠Ｂｕとの間に位置しているので、サル環Ｒｓ１と共に、ベルト端部ＢｂＥの浮き上がりをより効果的に押さえることができる。
【００３４】
次に、Ｄ環Ｒｄが尾錠Ｂｕ側（図３において左側）に倒れる場合について説明する。引き紐Ｒ（ナス環ＳＨ、丸環Ｒｒ、鎖Ｃ）に引かれて、Ｄ環Ｒｄが尾錠Ｂｕ側に倒れると、ベルト端部ＢｂＥ及びベルト本体Ｂｂを収容しているサル環Ｒｓ２は倒れずに上部Ｓｔで、Ｄ環Ｒｄの接続部Ｄｐを受け止める。サル環Ｒｓ１との違いは、サル環Ｒｓ１はＤ環Ｒｄが倒れることを防止するが、サル環Ｒｓ２は倒れてくる接続部Ｄｐを受け止めることにある。サル環Ｒｓ２に受け止められたＤ環Ｒｄの円弧部Ｄａは、ベルト端部ＢｂＥの表面との間に間隔を有しており、鎖ＣのＤ環Ｒｄとの連結部分はベルト端部ＢｂＥに当たらない。また、連結具ＣＣを、ベルト端部ＢｂＥ、ベルト本体Ｂｂ、及びベルト裏地ＢｂＢの側部あるいはそれらの間に引き込もうとする力が生じても、連結具ＣＣはサル環Ｒｓ２の上部Ｓｔ及び接続部Ｓｐで受け止められることは、サル環Ｒｓ１（サル環Ｒｓ）と同様である。
【００３５】
図４を参照して、上述の実施例２の変形例について説明する。図４（ａ）、図４（ｂ）、及び図４（ｃ）は、それぞれ、第１、第２、及び第３の変形例の連結具付首輪ＤＣＣ２ａ、ＤＣＣ２ｂ、及びＤＣＣ２ｃを図３（ａ）と対比して示す。なお、図４においては、主に、図３（ａ）に示した連結具付首輪ＤＣＣ２と異なる部材にのみ符号を付して、その点に重点をおいて各変形例について説明する。
【００３６】
図４（ａ）に示す連結具付首輪ＤＣＣ２ａにおいては、連結具付首輪ＤＣＣ２におけるのとは異なり、サル環Ｒｓ２がＤ環Ｒｄに隣接して組み込まれている。つまり、隙間Ｓにサル環Ｒｓ１、Ｄ環Ｒｄ、及びサル環Ｒｓ２が一緒に組み込まれている。結果、サル環Ｒｓ１及びＲｓ２により、Ｄ環Ｒｄはベルト端部ＢｂＥ側及び尾錠Ｂｕ側のいずれの方向に関しても、倒れることが防止される。
【００３７】
図４（ｂ）に示す連結具付首輪ＤＣＣ２ｂにおいては、尾錠Ｂｕが浮上防止部Ｂｕｓを有しない尾錠Ｂｕ’に交換されている。浮上防止部Ｂｕｓがない分だけ、ベルト端部ＢｂＥの浮き上がり防止能力が劣る可能性はあるが、用途によっては問題なく使用できる。また、構成部品の入手性の拡大の観点から好ましい。
【００３８】
図４（ｃ）に示す連結具付首輪ＤＣＣ２ｃにおいては、図４（ａ）に示す連結具付首輪ＤＣＣ２ａにおいて、尾錠Ｂｕが浮上防止部Ｂｕｓを有しない尾錠Ｂｕ’に交換されている。浮上防止部Ｂｕｓがない分だけ、ベルト端部ＢｂＥの浮き上がり防止能力が劣る可能性はあるが、用途によっては問題なく使用できる。また、構成部品の入手性の拡大の観点から好ましい。
【００３９】
次に、図５を参照して、連結具ＣＣの変形例について説明する。上述の実施の形態においては、連結具ＣＣは、丸環ＲｒとＤ環Ｒｄが鎖Ｃによって連結されている。しかしながら、鎖Ｃの代わりに紐で接続しても良いし、ワイヤで連結しても良い。図５（ａ）は鎖Ｃの代わりに紐Ｒｃで接続された連結具ＣＣｒを示し、図５（ｂ）は鎖Ｃの代わりにワイヤＷｃで接続された連結具ＣＣｗを示す。
【産業上の利用可能性】
【００４０】
本発明は、動物に装着される首輪に利用できる。
【符号の説明】
【００４１】
ＤＣＣ、ＤＣＣ１、ＤＣＣ２  連結具付首輪
Ｂｂ  ベルト本体
Ｂｕ  尾錠
Ｒｓ、Ｒｓ１、Ｒｓ２  サル環
Ｒｄ  Ｄ環
ＣＣ  連結具
【図１】
0005824275.tif 000002
【図２】
0005824275.tif 000003
【図３】
0005824275.tif 000004
【図４】
0005824275.tif 000005
【図５】
0005824275.tif 000006
【図６】
0005824275.tif 000007
【図７】
0005824275.tif 000008